【手続補正書】
【提出日】平成15年8月21日(2003.8.21)
【手続補正１】
【補正対象書類名】明細書
【補正対象項目名】全文
【補正方法】変更
【補正の内容】
【発明の名称】印刷配線コミュテータを備えた扁平コアレス振動モータ
【特許請求の範囲】
【請求項１】印刷配線薄板（２）の表側にスリット（ＳＳ‥‥）を介して複数個のセグメントパターン（１１、１２‥‥）を形成するとともに、裏側に電機子コイル端末結線パターン（２ａ、２２ａ‥‥２ｂ、２２ｂ‥‥）を形成し、スルーホール（１ｄ、１ｅ）を介してこれらのパターンを接続し、この裏側に少なくとも１個の空心電機子コイル（１）を偏らせて接着によって載置し、該空心電機子コイルを前記印刷配線板と共に樹脂（３）で一体成形してなる印刷配線コミュテータを備えた扁平コアレス振動モータにおいて、前記スルーホールを空心電機子コイル載置部分と平面視重畳しないように形成してなる印刷配線コミュテータを備えた扁平コアレス振動モータ。
【請求項２】前記空心電機子コイル（１）を偏らせて接着によって載置する手段は両面粘着材（Ｔ）を使用したものであって該両面粘着材に前記空心電機子コイル（１）の巻き始め端末を導出する溝（Ｔａ）が設けられた請求項１に記載の印刷配線コミュテータを備えた扁平コアレス振動モータ。
【請求項３】前記複数個のセグメントパターンに潤滑剤を含ませた請求項１に記載の印刷配線コミュテータを備えた扁平コアレス振動モータ。
【請求項４】前記空心電機子コイルは重畳しない３個からなり、前記印刷配線薄板は対向するセグメント同士をショートする６個のセグメントを備えたものであってこのセグメントに接続される火花消去用素子を平面視で前記空心電機子コイルと重畳しないように載置し、この火花消去用素子の配線パターンの一部を利用することにより前記スルーホールを４個で構成した請求項１ないし請求項３のいずれか１項に記載の印刷配線コミュテータを備えた扁平コアレス振動モータ。
【発明の詳細な説明】
【０００１】
【産業上の利用分野】
この発明は、移動体通信機器のサイレントコール手段などに用いられる印刷配線コミュテータを備えた扁平コアレス振動モータの改良に関する。
【０００２】
【従来の技術】
従来より、印刷配線薄板の表側にスリットを介して複数個のセグメントパターンを形成するとともに、裏側に電機子コイル端末結線パターンを形成し、スルーホールを介してこれらのパターンを接続し、この裏側に複数個の空心電機子コイルを偏らせて載置し、樹脂で一体成形して偏心ロータとした印刷配線コミュテータを備えた扁平コアレス振動モータがある。
すなわち、移動体通信機器のサイレントコール手段の振動源に用いられる扁平コアレスモータの印刷配線コミュテータは、図４に示すように厚み０．１ミリ程度のガラスクロスエポキシ樹脂印刷配線薄板２の表側にスリットＳを介して６個のセグメントパターンＣを形成するとともにスルーホールＨを介してこれらのパターンを接続し、裏側に３個の空心コイル１‥‥を偏らせて接着することによって載置し、各端末１ａ‥‥、１ｂ‥‥を所定のパターン２ａ‥‥、２ｂ‥‥に半田結線したあと、樹脂３で拡開した扇型に一体成形してなるものである。
【０００３】
【発明が解決しようとする課題】
ところで、このような扁平すなわち軸方向空隙型モータは空隙ロスを避けるため、通常、空隙に介挿する印刷配線コミュテータは前記のように厚み０．１ミリ程度の薄板を用いるが、このような薄い厚みでは、裏側に３個の空心コイル１‥‥を接着する際、接着剤が表側にスルーホールを透してはみ出てくるので、この穴埋め処理やレジストを数回塗布するなどしてスルーホールを塞ぐ必要があるなど、経済的でなく、レジストが厚くすると空隙が犠牲となって特性的な問題点を包含していた。
また、コミュテータに潤滑剤を塗布して使用するものにおいては、この潤滑剤は一般的に合成油のため前記接着剤に対して悪影響を及ぼす問題があるので、スルーホールを塞ぐことは必然的なものとなる。
【０００４】
この発明の目的は、スルーホールの位置を特定することによって穴埋め処理やレジストの厚塗りを不要としてコストダウンができ、特性が犠牲にならないようにした印刷配線コミュテータを備えた扁平コアレス振動モータを提供するものである。
【０００５】
【課題を解決するための手段】
上記課題の解決は、請求項１に示すように印刷配線薄板（２）の表側にスリット（ＳＳ‥‥）を介して複数個のセグメントパターン（１１、１２‥‥）を形成するとともに、裏側に電機子コイル端末結線パターン（２ａ、２２ａ‥‥２ｂ、２２ｂ‥‥）を形成し、スルーホール（１ｄ、１ｅ）を介してこれらのパターンを接続し、この裏側に少なくとも１個の空心電機子コイル（１）を偏らせて接着によって載置し、該空心電機子コイルを前記印刷配線板と共に樹脂（３）で一体成形してなる印刷配線コミュテータを備えた扁平コアレス振動モータにおいて、前記スルーホールを空心電機子コイル載置部分と平面視重畳しないように形成してなるもので達成できる。
また、請求項２に示すように前記空心電機子コイル（１）を偏らせて接着によって載置する手段は両面粘着材（Ｔ）を使用したものであって該両面粘着材に前記空心電機子コイル（１）の巻き始め端末を導出する溝（Ｔａ）が設けられたものにするのがよい。
さらに請求項３に示すように前記複数個のセグメントパターンに潤滑剤を含ませたものにするのがよい。
そして、請求項４に示すように前記空心電機子コイルは重畳しない３個からなり、前記印刷配線薄板は対向するセグメント同士をショートする６個のセグメントを備えたものであってこのセグメントに接続される火花消去用素子を平面視で前記空心電機子コイルと重畳しないように載置し、この火花消去用素子の配線パターンの一部を利用することにより前記スルーホールを４個で構成したものがよい。
請求項１に示すようにすれば、スルーホール部には空心電機子コイルを接着しなくてすむので、スルーホールから接着剤がはみ出てくるおそれがない。
請求項２に示すようにすれば、レジストを薄くできるので、両面粘着材を使用できることになり、空心電機子コイルの固定が容易にでき、空心電機子コイルの巻始め端末の保護ができる。
請求項３に示すようにすれば、潤滑剤を用いても接着剤の部分まで到達しないので長寿命のモータが提供できる。
請求項４に示すようにすれば、火花消去用素子が容易に載置でき、スルーホールの数を少なくできる。
【０００６】
【発明の実施の態様】
次にこの発明の実施の形態を図面に基づき説明する。
図１はこの発明の第１の実施の形態の印刷配線コミュテータを有する偏心ロータの組立準備状態の平面図、図２は同ロータを組み込んだ扁平コアレス振動モータの要部断面内部構造図、図３は同印刷配線コミュテータの第２の実施の形態を示し、（ａ）コイル載置側、（ｂ）はコミュテータセグメント側よりみた平面図である。
【０００７】
図１に示す偏心ロータの組立を組立するには、３個の３角形の空心電機子コイル１‥‥を厚み０．１ミリ程度の拡開した扇型の印刷配線薄板２に両面粘着テープＴによって偏って接着配置してなるものであるが、両面粘着テープＴのサイズおよび、位置は３個の３角形の空心電機子コイル１‥‥が接着できる範囲内にとどまる。印刷配線薄板２には各空心電機子コイル１‥‥の内径に巻軸とほぼ同サイズのコイル位置決め用としてガイドピンが挿入される透孔Ｈ‥‥が配され、外径の肩近傍には巻始め結線用パターン２ａ‥‥が形成される。巻終わり結線用パターン２ｂ‥‥は３個の３角形の空心電機子コイル１‥‥と中心の軸受け逃げ孔２ｃの間に配され、この軸受け逃げ孔２ｃの近傍に設けた内スルーホール１ｄ‥‥を介して鎖線で示すように反対側の貴金属メッキしたコミュテータセグメントパターン１１、１２、１３と結ばれている。これらのセグメントパターン１１、１２、１３に対向するセグメントパターン１４、１５、１６は３本のショートパターン１７‥‥で外スルーホール１ｅ‥‥を介して同電位にさせている。図中１ｆ‥‥は火花消去用印刷抵抗である。前記空心電機子コイル１‥‥の巻始め、巻終わり端末１ａ‥‥、１ｂ‥‥はそれぞれ予備半田されているので、治具（図示せず）にセットしてリフローすることにより容易に半田結線することができる。その後、金型（図示せず）に植設させている前記透孔Ｈ‥‥に合わせたガイドポール（図示せず）に合わせて同形の金型に入れ、上方からピンゲートで高比重摺動性樹脂３で射出成形させることにより偏心ロータＲとして構成される。したがって、内外のスルーホール１ｄ、１ｅは前記空心電機子コイル１‥‥より大きく離れ、両面粘着テープＴが内スルーホール１ｄ‥‥の位置に来るようなことはない。図中Ｔａは両面粘着テープＴに配した前記空心電機子コイル１‥‥の巻始め端末１ａ‥‥を保護して導出するための溝である。
【０００８】
このような偏心ロータＲを用いる軸方向空隙型扁平コアレス振動モータは、図２に示すようなものとなる。すなわち、ケース４とブラケット５でハウジングを構成し、前記偏心ロータＲを中心の軸受け孔Ｒａを介して前記ブラケット５に固着した軸６に回転自在に装着し、摺動土手部Ｒｂをもってケース４の天井に配したスライダワッシャ４ａにブラシ７，７の押接力で摺接させてなるものである。図中、８は前記偏心ロータＲに空隙を介して磁界を与えるためにブラケット５に固着したマグネット、９は前記一対のブラシ７，７を植設したフレキシブル基板からなるブラシベースで前記ブラケット５とマグネット８の間を通って外方に引き出し導電端子にしてある。
【０００９】
図３に示すものは、この発明の印刷配線コミュテータの第２の実施の形態の平面図で、３個の３角形の空心電機子コイル１‥‥を厚み０．１ミリ程度の拡開した扇型の印刷配線薄板２２に両面粘着テープＴによって偏って接着配置してなるものであるが、チップコンデンサＫ‥‥をデットスペースとなるちょうどコミュテータのセグメント部分の反対側に搭載したものである。
この場合、同コンデンサＫ‥‥の結線パターン８ａ‥‥などを利用することにより、対向するセグメントをショートするスルーホールは反重心側の外スルーホールのみの４個１ｅ‥‥で済ませることができる。
なお、ここでは印刷配線コミュテータ自体を空心電機子コイル１‥‥の外径より小にしてコストダウンを図っている。また、ここでは空心電機子コイル１‥‥の巻始め端末１ａ‥‥の結線は空心電機子コイル１‥‥の内径を利用している。  図中、２２ａは巻始め結線用パターン、２２ｂは巻終わり結線用パターンであり、対向するセグメント同士をショートする導体パターンは空心電機子コイル側にＤ１，Ｄ２の２本、セグメント側にＤ３、Ｄ４の２本、それぞれ設けられている。
また、前記セグメントを分けるスリットＳＳは法線に対して斜めに入れてあってブラシ摺動時のスパークを防止している。
【００１０】
【発明の効果】
この発明は、上記の請求項１に示すような構成にすることにより、スルーホール部は接着しなくてすむので、スルーホールから接着剤がはみ出てくるおそれがない。
請求項２に示すような構成すればレジストを薄くできるので、両面粘着材を使用できることになり、空心電機子コイルの固定が容易にできる。
請求項３に示すような構成すれば潤滑剤を用いても接着剤の部分まで到達しないので長寿命のモータが提供できる。
そして、請求項４に示すような構成すれば小型なものでも火花消去用チップコンデンサが容易に載置でき、スルーホールの数を少なくできる。
【図面の簡単な説明】
【図１】この発明の第１の実施の形態の印刷配線コミュテータを有する偏心ロータの組立準備状態の平面図である。
【図２】同ロータを組み込んだ扁平コアレス振動モータの要部断面内部構造図である。
【図３】同印刷配線コミュテータの第２の実施の形態の平面図である。
【図４】従来の偏平コアレスモータのロータの要部平面図である。
【符号の説明】
１  空心電機子コイル
１ａ  巻始め端末
１ｂ  巻終わり端末
１ｄ  内スルーホール
１ｅ  外スルーホール
２、２２  印刷配線薄板
２ａ、２２ａ  巻始め結線用パターン
２ｂ、２２ｂ  巻終わり結線用パターン
３  高比重摺動性樹脂
Ｈ  コイル位置決めガイド用透孔
Ｔ  両面粘着テープ
１１、１２、１３、１４、１５、１６  コミュテータセグメントパターン
１７、Ｄ１、Ｄ２、Ｄ３、Ｄ４  導体パターン


【手続補正２】
【補正対象書類名】図面
【補正対象項目名】図３
【補正方法】変更
【補正の内容】
【図３】
2000166175.tif 000001